【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
ワイヤレス通信におけるデータのブロードキャストを管理するための、ブロードキャスト管理デバイスにおける方法であって、
マルチキャストセッションに参加するための要求を受信することと、
前記マルチキャストセッションに関連する複数のブロードキャスト技術ベースの識別子を受信すること、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択することと、
前記選択されたＲＡＴから、前記マルチキャストセッションに関連するデータのマルチキャストストリームを受信することと、
前記マルチキャストセッションに関連する制御情報を識別すること、ここにおいて、前記制御情報は、前記複数のＲＡＴのうちの１つまたは複数にわたって受信される、と、
前記選択されたＲＡＴを識別する前記ブロードキャスト技術ベースの識別子に少なくとも一部分基づいて、前記ブロードキャスト管理デバイスのモデムプロセッサとアプリケーションプロセッサとの間にインターネットプロトコル（ＩＰ）パイプを生成することと、
前記ＩＰパイプを介して前記モデムプロセッサから前記アプリケーションプロセッサに、前記識別された制御情報に対応する前記受信したデータのマルチキャストストリームをトランスポートすることと
を備える、方法。
【請求項２】
前記マルチキャストセッションに参加するための、別個のエンティティから受信した多数の要求を識別することをさらに備え、前記マルチキャストセッションは、マルチキャストインターネットプロトコル（ＩＰ）アドレスによって識別される、請求項１に記載の方法。
【請求項３】
別個のエンティティから受信した前記識別された多数の要求に少なくとも一部分基づいて１つまたは複数のデータのストリーム中にデータのマルチキャストストリームを複製することと、
前記識別された多数の別個のエンティティに前記複製されたデータのマルチキャストストリームを送信することと
をさらに備える、請求項２に記載の方法。
【請求項４】
前記要求を受信することは、
第１のマルチキャストＩＰアドレスによって識別された第１のマルチキャストセッションに参加するための、第１のデバイスから第１の要求を受信することと、
第２のマルチキャストＩＰアドレスによって識別された第２のマルチキャストセッションに参加するための、第２のデバイスから第２の要求を受信することと
を備え、前記第２のマルチキャストＩＰアドレスは、前記第１のマルチキャストＩＰアドレスと異なる、請求項１に記載の方法。
【請求項５】
前記第１のマルチキャストＩＰアドレスに少なくとも一部分基づいて第１のブロードキャスト技術ベースの識別子を決定することと、
前記第２のマルチキャストＩＰアドレスに少なくとも一部分基づいて第２のブロードキャスト技術ベースの識別子を決定することと
をさらに備える、請求項４に記載の方法。
【請求項６】
第１の無線アクセス技術（ＲＡＴ）を選択するために前記第１のブロードキャスト技術ベースの識別子を使用すること、ここにおいて、前記第１のＲＡＴは、前記第１のブロードキャスト技術ベースの識別子によって識別された第１のブロードキャスト技術を実装する、と、
第２のＲＡＴを選択するために前記第２のブロードキャスト技術ベースの識別子を使用することと
をさらに備え、前記第２のＲＡＴは、前記第２のブロードキャスト技術ベースの識別子によって識別された第２のブロードキャスト技術を実装する、請求項５に記載の方法。
【請求項７】
前記第１のＲＡＴから第１のデータのマルチキャストストリームを受信すること、ここにおいて、前記第１のデータのマルチキャストストリームは、第１の制御情報に関連する、と、
前記第２のＲＡＴから第２のデータのマルチキャストストリームを受信することと
をさらに備え、前記第２のデータのマルチキャストストリームは、第２の制御情報に関連する、請求項６に記載の方法。
【請求項８】
ワイヤレス通信におけるデータのブロードキャストを管理するように動作可能な装置であって、
マルチキャストセッションに参加するための要求を受信するための手段と、
前記マルチキャストセッションに関連する複数のブロードキャスト技術ベースの識別子を受信するための手段、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択するための手段と、
前記選択されたＲＡＴから、前記マルチキャストセッションに関連するデータのマルチキャストストリームを受信するための手段と、
前記マルチキャストセッションに関連する制御情報を識別するための手段、ここにおいて、前記制御情報は、前記複数のＲＡＴのうちの１つまたは複数にわたって受信される、と、
前記選択されたＲＡＴを識別する前記ブロードキャスト技術ベースの識別子に少なくとも一部分基づいて、前記装置のモデムプロセッサとアプリケーションプロセッサとの間にインターネットプロトコル（ＩＰ）パイプを生成するための手段と、
前記ＩＰパイプを介して前記モデムプロセッサから前記アプリケーションプロセッサに、前記識別された制御情報に対応する前記受信したデータのマルチキャストストリームをトランスポートするための手段と
を備える、装置。
【請求項９】
前記マルチキャストセッションに参加するための、別個のエンティティから受信した多数の要求を識別するための手段をさらに備え、前記マルチキャストセッションは、マルチキャストインターネットプロトコル（ＩＰ）アドレスによって識別される、請求項８に記載の装置。
【請求項１０】
別個のエンティティから受信した前記識別された多数の要求に少なくとも一部分基づいて１つまたは複数のデータのストリーム中にデータのマルチキャストストリームを複製するための手段と、
前記識別された多数の別個のエンティティに前記複製されたデータのマルチキャストストリームを送信するための手段と
をさらに備える、請求項９に記載の装置。
【請求項１１】
前記要求を受信するための前記手段は、
第１のマルチキャストＩＰアドレスによって識別された第１のマルチキャストセッションに参加するための、第１のデバイスから第１の要求を受信するための手段と、
第２のマルチキャストＩＰアドレスによって識別された第２のマルチキャストセッションに参加するための、第２のデバイスから第２の要求を受信するための手段と
を備え、前記第２のマルチキャストＩＰアドレスは、前記第１のマルチキャストＩＰアドレスと異なる、請求項８に記載の装置。
【請求項１２】
前記第１のマルチキャストＩＰアドレスに少なくとも一部分基づいて第１のブロードキャスト技術ベースの識別子を決定するための手段と、
前記第２のマルチキャストＩＰアドレスに少なくとも一部分基づいて第２のブロードキャスト技術ベースの識別子を決定するための手段と
をさらに備える、請求項１１に記載の装置。
【請求項１３】
第１の無線アクセス技術（ＲＡＴ）を選択するために前記第１のブロードキャスト技術ベースの識別子を使用するための手段、ここにおいて、前記第１のＲＡＴは、前記第１のブロードキャスト技術ベースの識別子によって識別された第１のブロードキャスト技術を実装する、と、
第２のＲＡＴを選択するために前記第２のブロードキャスト技術ベースの識別子を使用するための手段と
をさらに備え、前記第２のＲＡＴは、前記第２のブロードキャスト技術ベースの識別子によって識別された第２のブロードキャスト技術を実装する、請求項１２に記載の装置。
【請求項１４】
前記第１のＲＡＴから第１のデータのマルチキャストストリームを受信するための手段、ここにおいて、前記第１のデータのマルチキャストストリームは、第１の制御情報に関連する、と、
前記第２のＲＡＴから第２のデータのマルチキャストストリームを受信するための手段と
をさらに備え、前記第２のデータのマルチキャストストリームは、第２の制御情報に関連する、請求項１３に記載の方法。
【請求項１５】
コンピュータ上で実行されると、請求項１−７のうちのいずれか一項に記載の方法を実行するための命令を備えるコンピュータプログラム。
【手続補正２】
【補正対象書類名】明細書
【補正対象項目名】００７７
【補正方法】変更
【補正の内容】
【００７７】
[0089]本開示の前の記述は、当業者が本開示を行なうまたは使用することを可能にするために提供される。本開示に対する様々な変更は、当業者にとって容易に明らかになることがあり、また、本明細書で定義される一般的な原理は、本開示の範囲またはスピリットから逸脱することなく他の変更に適用されうる。本開示を通して、用語「例（example）」あるいは「例示的（exemplary）」は、例あるいはインスタンスを示すものであり、言及された例に対するいかなる選好を暗に示すものでも必要とするものでもない。したがって、本開示は、ここで説明される例および設計に限定されるべきではないが、ここで開示される原理および新規の特徴と一致して幅広い範囲が与えられるべきである。
以下に本願発明の当初の特許請求の範囲に記載された発明を付記する。
［Ｃ１］
ワイヤレス通信におけるデータのブロードキャストを管理する方法であって、
マルチキャストセッションに参加するための要求を受信することと、
前記マルチキャストセッションに関連する複数のブロードキャスト技術ベースの識別子を受信すること、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択することと、
前記選択されたＲＡＴから、前記マルチキャストセッションに関連するデータのマルチキャストストリームを受信することとを備える、方法。
［Ｃ２］
前記マルチキャストセッションに関連する制御情報を識別することをさらに備え、前記制御情報は、前記複数のＲＡＴのうちの１つまたは複数にわたって受信される、Ｃ１に記載の方法。
［Ｃ３］
前記選択されたＲＡＴを識別する前記ブロードキャスト技術ベースの識別子に少なくとも一部分基づいてインターネットプロトコル（ＩＰ）パイプを生成することと、
前記ＩＰパイプを介してモデムプロセッサから前記受信したデータのマルチキャストストリームをトランスポートすることとをさらに備える、Ｃ２に記載の方法。
［Ｃ４］
前記マルチキャストセッションに参加する別個のエンティティから受信した多数の要求を識別することをさらに備え、前記マルチキャストセッションは、マルチキャストインターネットプロトコル（ＩＰ）アドレスによって識別される、Ｃ１に記載の方法。
［Ｃ５］
別個のエンティティから受信した前記識別された多数の要求に少なくとも一部分基づいて１つまたは複数のデータのストリーム中にデータのマルチキャストストリームを複製することと、
前記識別された多数の別個のエンティティに前記複製されたマルチキャストストリームを送信することとをさらに備える、Ｃ４に記載の方法。
［Ｃ６］
前記要求を受信することは、
第１のマルチキャストＩＰアドレスによって識別された第１のマルチキャストセッションに参加するために、第１のデバイスから第１の要求を受信することと、
第２のマルチキャストＩＰアドレスによって識別された第２のマルチキャストセッションに参加するために、第２のデバイスから第２の要求を受信することと
をさらに備え、前記第２のマルチキャストＩＰアドレスは、前記第１のマルチキャストＩＰアドレスと異なる、Ｃ１に記載の方法。
［Ｃ７］
前記第１のマルチキャストＩＰアドレスに少なくとも一部分基づいて第１のブロードキャスト技術ベースの識別子を決定することと、
前記第２のマルチキャストＩＰアドレスに少なくとも一部分基づいて第２のブロードキャスト技術ベースの識別子を決定することとをさらに備える、Ｃ６に記載の方法。
［Ｃ８］
第１の無線アクセス技術（ＲＡＴ）を選択するために前記第１のブロードキャスト技術ベースの識別子を使用すること、ここにおいて、前記第１のＲＡＴは、前記第１のブロードキャスト技術ベースの識別子によって識別された第１のブロードキャスト技術を実装する、と、
第２のＲＡＴを選択するために前記第２のブロードキャスト技術ベースの識別子を使用することと
をさらに備え、前記第２のＲＡＴは、前記第２のブロードキャスト技術ベースの識別子によって識別された第２のブロードキャスト技術を実装する、Ｃ７に記載の方法。
［Ｃ９］
前記第１のＲＡＴから第１のデータのマルチキャストストリームを受信すること、ここにおいて、前記第１のデータのマルチキャストストリームは、第１の制御情報に関連する、と、
前記第２のＲＡＴから第２のデータのマルチキャストストリームを受信することと
をさらに備え、前記第２のデータのマルチキャストストリームは、第２の制御情報に関連する、Ｃ８に記載の方法。
［Ｃ１０］
前記第１デバイスに前記第１のデータのマルチキャストストリームを送信することと、
前記第２のデバイスに前記第２のデータのマルチキャストストリームを送信することとをさらに備える、Ｃ９に記載の方法。
［Ｃ１１］
モデムプロセッサに前記ブロードキャスト技術ベースの識別子を転送すること、ここにおいて、前記ブロードキャスト技術ベースの識別子は、前記選択されたＲＡＴを識別する、と、
前記モデムプロセッサに、前記選択されたＲＡＴによって使用される制御情報を転送することとをさらに備える、Ｃ１に記載の方法。
［Ｃ１２］
前記ブロードキャスト技術ベースの識別子は、エンハンスドマルチメディアブロードキャストマルチキャストサービス（ｅＭＢＭＳ）ＲＡＴを識別するために使用される、Ｃ１に記載の方法。
［Ｃ１３］
前記ｅＭＢＭＳ ＲＡＴは、テンポラリモバイルグループアイデンティティ（ＴＭＧＩ）を備える制御情報を送信する、Ｃ１２に記載の方法。
［Ｃ１４］
前記マルチキャストセッションに関連する前記データのマルチキャストストリームは、ロングタームエボリューション（ＬＴＥ）フェムトセルを介して受信される、Ｃ１に記載の方法。
［Ｃ１５］
前記マルチキャストセッションに関連する前記データのマルチキャストセッションの少なくとも一部は、無認可周波数スペクトルを使用して受信される、Ｃ１に記載の方法。
［Ｃ１６］
ワイヤレス通信におけるデータのブロードキャストを管理するように構成されるデバイスであって、
プロセッサと、
前記プロセッサと電子通信するメモリと、
前記メモリに記憶される命令と
を備え、前記命令は、前記プロセッサが、
マルチキャストセッションに参加するための要求を受信することと、
前記マルチキャストセッションに関連する複数のブロードキャスト技術ベースの識別子を受信すること、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択することと、
前記選択されたＲＡＴから、前記マルチキャストセッションに関連するデータのマルチキャストストリームを受信することとを実行可能である、デバイス。
［Ｃ１７］
前記命令は、前記プロセッサが、
前記マルチキャストセッションに関連する制御情報を識別することを実行可能であり、前記制御情報は、前記複数のＲＡＴのうちの１つまたは複数にわたって受信される、Ｃ１６に記載のデバイス。
［Ｃ１８］
前記命令は、前記プロセッサが、
前記選択されたＲＡＴを識別する前記ブロードキャスト技術ベースの識別子に少なくとも一部分基づいてインターネットプロトコル（ＩＰ）パイプを生成することと、
前記ＩＰパイプを介してモデムプロセッサから前記受信したデータのマルチキャストストリームをトランスポートすることとを実行可能である、Ｃ１７に記載のデバイス。
［Ｃ１９］
前記命令は、前記プロセッサが、
前記マルチキャストセッションに参加する別個のエンティティから受信した多数の要求を識別すること、ここにおいて、前記マルチキャストセッションは、マルチキャストインターネットプロトコル（ＩＰ）アドレスによって識別される、と、
別個のエンティティから受信した前記識別された多数の要求に少なくとも一部分基づいて１つまたは複数のデータのストリーム中にデータのマルチキャストストリームを複製することと、
前記識別された多数の別個のエンティティに前記複製されたマルチキャストストリームを送信することとを実行可能である、Ｃ１６に記載のデバイス。
［Ｃ２０］
前記命令は、前記プロセッサが、
第１のマルチキャストＩＰアドレスによって識別された第１のマルチキャストセッションに参加するために、第１のデバイスから第１の要求を受信することと、
第２のマルチキャストＩＰアドレスによって識別された第２のマルチキャストセッションに参加するために、第２のデバイスから第２の要求を受信することとを実行可能であり、前記第２のマルチキャストＩＰアドレスは、前記第１のマルチキャストＩＰアドレスと異なる、Ｃ１６に記載のデバイス。
［Ｃ２１］
前記命令は、前記プロセッサが、
前記第１のマルチキャストＩＰアドレスに少なくとも一部分基づいて第１のブロードキャスト技術ベースの識別子を決定することと、
前記第２のマルチキャストＩＰアドレスに少なくとも一部分基づいて第２のブロードキャスト技術ベースの識別子を決定することとを実行可能である、Ｃ１６に記載のデバイス。
［Ｃ２２］
前記命令は、前記プロセッサが、
第１の無線アクセス技術（ＲＡＴ）を選択するために前記第１のブロードキャスト技術ベースの識別子を使用すること、ここにおいて、前記第１のＲＡＴは、前記第１のブロードキャスト技術ベースの識別子によって識別された第１のブロードキャスト技術を実装する、と、
第２のＲＡＴを選択するために前記第２のブロードキャスト技術ベースの識別子を使用することと
を実行可能であり、前記第２のＲＡＴは、前記第２のブロードキャスト技術ベースの識別子によって識別された第２のブロードキャスト技術ベースの識別子を実装する、Ｃ２１に記載のデバイス。
［Ｃ２３］
前記命令は、前記プロセッサが、
前記第１のＲＡＴから第１のデータのマルチキャストストリームを受信すること、ここにおいて、前記第１のデータのマルチキャストストリームは、第１の制御情報に関連する、と、
前記第２のＲＡＴから第２のデータのマルチキャストストリームを受信すること、ここにおいて、前記第２のデータのマルチキャストストリームは、第２の制御情報に関連する、と、
前記第１デバイスに前記第１のデータのマルチキャストストリームを送信することと、
前記第２のデバイスに前記第２のデータのマルチキャストストリームを送信することとを実行可能である、Ｃ２２に記載のデバイス。
［Ｃ２４］
ワイヤレス通信におけるデータのブロードキャストを管理する装置であって、
マルチキャストセッションに参加するための要求を受信するための手段と、
前記マルチキャストセッションに関連する複数のブロードキャスト技術ベースの識別子を受信するための手段、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択するための手段と、
前記選択されたＲＡＴから、前記マルチキャストセッションに関連するデータのマルチキャストストリームを受信するための手段とを備える、装置。
［Ｃ２５］
前記マルチキャストセッションに関連する制御情報を識別するための手段をさらに備え、前記制御情報は、前記複数のＲＡＴのうちの１つまたは複数にわたって受信される、Ｃ２４に記載の装置。
［Ｃ２６］
前記選択されたＲＡＴを識別する前記ブロードキャスト技術ベースの識別子に少なくとも一部分基づいてインターネットプロトコル（ＩＰ）パイプを生成するための手段と、
前記ＩＰパイプを介してモデムプロセッサから前記受信したデータのマルチキャストストリームをトランスポートするための手段とをさらに備える、Ｃ２５に記載の装置。
［Ｃ２７］
前記マルチキャストセッションに参加する別個のエンティティから受信した多数の要求を識別するための手段をさらに備え、前記マルチキャストセッションは、マルチキャストインターネットプロトコル（ＩＰ）アドレスによって識別される、Ｃ２４に記載の装置。
［Ｃ２８］
別個のエンティティから受信した前記識別された多数の要求に少なくとも一部分基づいて１つまたは複数のデータのストリーム中にデータのマルチキャストストリームを複製するための手段と、
前記識別された多数の別個のエンティティに前記複製されたマルチキャストストリームを送信するための手段とをさらに備える、Ｃ２７に記載の装置。
［Ｃ２９］
ワイヤレス通信におけるデータのブロードキャストを管理するコンピュータプログラム製品であって、前記コンピュータプログラム製品は、プロセッサが、
マルチキャストセッションに参加するための要求を受信することと、
前記マルチキャストセッションに関連する複数のブロードキャスト技術ベースの識別子を受信すること、ここにおいて、各ブロードキャスト技術ベースの識別子は、前記マルチキャストセッションをブロードキャストする複数の無線アクセス技術（ＲＡＴ）のうちの１つを識別する、と、
前記複数のＲＡＴのうちの１つを選択することと、
前記選択されたＲＡＴから、前記マルチキャストセッションに関連するデータのマルチキャストストリームを受信することとを実行可能な命令を記憶する非一時的コンピュータ可読媒体を備える、コンピュータプログラム製品。
［Ｃ３０］
前記命令は、プロセッサが、
前記マルチキャストセッションに関連する制御情報を識別すること、ここにおいて、前記制御情報は、前記複数のＲＡＴのうちの１つまたは複数にわたって受信される、と、
前記選択されたＲＡＴを識別するブロードキャスト技術ベースの識別子に少なくとも一部分基づいてインターネットプロトコル（ＩＰ）パイプを生成することと、
前記ＩＰパイプを介してモデムプロセッサから前記受信したデータのマルチキャストストリームをトランスポートすることとを実行可能である、Ｃ２９に記載のコンピュータプログラム製品。